(57)【要約】【課題】レンズ付きフイルムユニットにおいて、撮影モードの切り替え忘れを防止して常に正しい撮影モードで撮影する。【解決手段】日中撮影モード又は室内撮影モードにて撮影を行った後、モード切替えノブ８をニュートラル位置に戻すと、バリア羽根７０，７１からなるレンズバリアが閉じられる。このＯＦＦモードでは、レリーズ操作阻止レバー７４が上昇位置に戻り、レリーズボタン９の押下操作が禁止される。次に撮影を行う際には、このままでは、レンズバリア５は閉じられ、レリーズボタン９も押し下げることができないから、自然とモード切替えノブ８を操作することになる。モード切替えノブ８を操作する際には、これから撮影するシーンに合わせて日中撮影モード又は室内撮影モードを選択するから、撮影モードを切り替えるのを忘れて、例えば日中撮影モードのままで室内を撮影して失敗するということを未然に防止できる。【選択図】        図９
2006098768.tif 000002
【特許請求の範囲】
【請求項１】
未露光の写真フイルムが予め装填され、露光条件が異なる複数の撮影モードを有し、前記撮影モードのうちいずれかにセットして撮影を行うとともに、撮影レンズを閉じる閉位置と開放する開位置との間で変位されるレンズバリアを有するレンズ付きフイルムユニットにおいて、
前記撮影モードのいずれにもセットされず撮影が禁止されるＯＦＦモードを設け、前記レンズバリアを開位置から閉位置に変位する毎に、前記撮影モードからＯＦＦモードに戻ることを特徴とするレンズ付きフイルムユニット。
【請求項２】
前記ＯＦＦモードでは、シャッタレリーズ操作が阻止されることを特徴とする請求項１記載のレンズ付きフイルムユニット。
【請求項３】
前記ＯＦＦモードでは、前記レンズバリアがファインダの前面を覆うことを特徴とする請求項１または２記載のレンズ付きフイルムユニット。
【請求項４】
前記ＯＦＦモードにセットした状態で出荷されることを特徴とする請求項１または２記載のレンズ付きフイルムユニット。
【請求項５】
未露光の写真フイルムが予め装填され、露光条件が異なる複数の撮影モードを有し、前記撮影モードのうちいずれかにセットして撮影を行うとともに、撮影レンズを閉じる閉位置と開放する開位置との間で変位されるレンズバリアを有するレンズ付きフイルムユニットにおいて、
前記撮影モードの切替え操作に伴って前記撮影モードの各セット位置と前記撮影モードのいずれにもセットされず撮影が禁止されるＯＦＦモードのセット位置との間で変位されるモード操作部材と、
このモード操作部材と前記レンズバリアとを連動し、前記モード操作部材が前記撮影モードの各セット位置にあるときにはレンズバリアを開位置とし、前記モード操作部材がＯＦＦモードのセット位置にあるときにはレンズバリアを閉位置とする連動手段と、
前記モード操作部材に連動し、前記モード操作部材が前記撮影モードの各セット位置にあるときにはシャッタレリーズ操作を許容し、前記モード操作部材がＯＦＦモードのセット位置にあるときにはシャッタレリーズ操作を阻止するレリーズ操作制御部材と、
を設けたことを特徴とするレンズ付きフイルムユニット。
【発明の詳細な説明】
【技術分野】
【０００１】
本発明は、複数の撮影モードを有するレンズ付きフイルムユニットに関するものである。
【背景技術】
【０００２】
未露光の写真フイルムが予め装填されたレンズ付きフイルムユニットが各種販売されている。このようなレンズ付きフイルムユニットには、日中屋外等の明るい場所での撮影に適した日中撮影モード（ストロボ発光せず）と、日中屋外での逆光撮影に適した日中シンクロ撮影モード（ストロボ発光あり）と、暗い室内での撮影や夜景撮影に適した夜間撮影モード（ストロボ発光あり）との３つの撮影モードを備えたものがある（特許文献１参照）。
【０００３】
前記レンズ付きフイルムユニットは、ＩＳＯ１６００の写真フイルムが用いられ、日中撮影モード及び日中シンクロ撮影モードでは、シャッタ速度が１／１２０秒に、絞り値がＦ１４に設定され、夜間撮影モードでは、シャッタ速度が１／４５秒に、絞り値がＦ６．２に設定される。これによれば、ＩＳＯ１００を基準としたＥＶ値での適正露出は、日中撮影モード及び日中シンクロ撮影モードがＥＶ１０．５、夜間撮影モードがＥＶ６．８となる。
【特許文献１】特開２００３−３４４９１４号公報
【発明の開示】
【発明が解決しようとする課題】
【０００４】
ところが、ユーザが夜間撮影モードにセットしたまま撮影モードを切り替えるのを忘れて日中晴天時の野外で撮影を行うと、極端な露光オーバー（約４ＥＶ（＝１０．５−６．８）の露光差）となって失敗するという問題があった。
【０００５】
本発明は上記問題を解消するためになされたもので、撮影モードの切り替え忘れを防止して常に正しい撮影モードで撮影できるレンズ付きフイルムユニットを提供することを目的とする。
【課題を解決するための手段】
【０００６】
本発明のレンズ付きフイルムユニットは、未露光の写真フイルムが予め装填され、露光条件が異なる複数の撮影モードを有し、前記撮影モードのうちいずれかにセットして撮影を行うとともに、撮影レンズを閉じる閉位置と開放する開位置との間で変位されるレンズバリアを有するレンズ付きフイルムユニットにおいて、前記撮影モードのいずれにもセットされず撮影が禁止されるＯＦＦモードを設け、前記レンズバリアを開位置から閉位置に変位する毎に、前記撮影モードからＯＦＦモードに戻ることを特徴とする。また、前記ＯＦＦモードでは、シャッタレリーズ操作が阻止されることを特徴とする。また、前記ＯＦＦモードでは、前記レンズバリアがファインダの前面を覆うことを特徴とする。また、前記ＯＦＦモードにセットした状態で出荷されることを特徴とする。
【０００７】
また、未露光の写真フイルムが予め装填され、露光条件が異なる複数の撮影モードを有し、前記撮影モードのうちいずれかにセットして撮影を行うとともに、撮影レンズを閉じる閉位置と開放する開位置との間で変位されるレンズバリアを有するレンズ付きフイルムユニットにおいて、前記撮影モードの切替え操作に伴って前記撮影モードの各セット位置と前記撮影モードのいずれにもセットされず撮影が禁止されるＯＦＦモードのセット位置との間で変位されるモード操作部材と、このモード操作部材と前記レンズバリアとを連動し、前記モード操作部材が前記撮影モードの各セット位置にあるときにはレンズバリアを開位置とし、前記モード操作部材がＯＦＦモードのセット位置にあるときにはレンズバリアを閉位置とする連動手段と、前記モード操作部材に連動し、前記モード操作部材が前記撮影モードの各セット位置にあるときにはシャッタレリーズ操作を許容し、前記モード操作部材がＯＦＦモードのセット位置にあるときにはシャッタレリーズ操作を阻止するレリーズ操作制御部材と、を設けたことを特徴とする。
【発明の効果】
【０００８】
本発明のレンズ付きフイルムユニットによれば、撮影モードのいずれにもセットされず撮影が禁止されるＯＦＦモードを設け、レンズバリアを開位置から閉位置に変位する毎に撮影モードからＯＦＦモードに戻るようにしたので、撮影モードの切り替え忘れを防止して希望と異なる撮影モードにセットしたまま誤って撮影を行うことを防止でき、常に正しい撮影モードで撮影できる。また、前記ＯＦＦモードでは、シャッタレリーズ操作が阻止されるから、レンズバリアを閉じたまま撮影を行って写真フイルムを無駄にすることを防止できるとともに、撮影を行うためにはＯＦＦモードからなんらかの撮影モードにセットする必要があることをユーザは知ることができる。また、前記ＯＦＦモードでは、前記レンズバリアがファインダの前面を覆うから、フレーミングを行う際にＯＦＦモードになっていることに気づくことができ、写真フイルムを無駄にすることを防止できるとともに、撮影を行うためにはＯＦＦモードからなんらかの撮影モードにセットする必要があることをユーザは知ることができる。また、前記ＯＦＦモードにセットした状態で出荷されるから、ＯＦＦモードでは、レンズバリアが閉じ、かつシャッタレリーズ操作ができず、撮影を行うこめには、ＯＦＦモードからなんらかの撮影モードにセットする必要があることをユーザは自然と学習できる。
【０００９】
また、撮影モードの切替え操作に伴って撮影モードの各セット位置と撮影モードのいずれにもセットされず撮影が禁止されるＯＦＦモードのセット位置との間で変位されるモード操作部材と、このモード操作部材とレンズバリアとを連動し、モード操作部材が撮影モードの各セット位置にあるときにはレンズバリアを開位置とし、モード操作部材がＯＦＦモードのセット位置にあるときにはレンズバリアを閉位置とする連動手段と、モード操作部材に連動し、モード操作部材が撮影モードの各セット位置にあるときにはシャッタレリーズ操作を許容し、モード操作部材がＯＦＦモードのセット位置にあるときにはシャッタレリーズ操作を阻止するレリーズ操作制御部材とを設けたので、撮影モードの切り替え忘れを防止でき、常に正しい撮影モードで撮影できる。
【発明を実施するための最良の形態】
【００１０】
本発明の第１実施形態であるレンズ付きフイルムユニットの外観を示す図１において、レンズ付きフイルムユニット１は、撮影機構が組み込まれたユニット本体２と、このユニット本体２の製造時に装填されたフイルムパトローネと、ユニット本体２の外周に巻き付けられるようにして貼着されるラベル３とからなる。ラベル３には、ユニット本体２の各部を露呈させるための開口が形成されている。なお、レンズ付きフイルムユニット１は、その場の光と影だけで雰囲気のある写真を撮影するためにＩＳＯ３２００の高感度フイルムを使用するとともに、ストロボ装置を搭載していない。
【００１１】
ユニット本体２の前面には、撮影レンズ４（図３参照）を開閉するレンズバリア５，ファインダ６，撮影モードを切り替える際に操作されるモード切替えノブ８が設けられている。また、ユニット本体２の上面には、レリーズボタン９，カウンタ表示窓１０が設けられ、背面には撮影後のフイルム巻き上げに用いられる巻上げダイヤル１２の一部が露呈されている。
【００１２】
前記モード切替えノブ８は、ユニット本体２の前面下方部に形成された円弧状のスリット状開口１４内で回動自在に設けられている。モード切替えノブ８は、ラベル４に印刷されたＯＦＦマーク１４で示されるニュートラル位置と、これより反時計方向に回動した晴天マーク１５で示される第１操作位置と、これより更に反時計方向に回動した家マーク１６で示される第２操作位置との間で回動される。
【００１３】
モード切替えノブ８をニュートラル位置に合わせると、撮影を禁止するＯＦＦモードになり、レンズバリア５は閉位置のままである。また、モード切替えノブ８を第１操作位置に合わせると、小絞り及び高速シャッタの日中撮影モードとなるとともに、レンズバリア５は開位置となる。また、モード切替えノブ８を第２操作位置に合わせると、大絞り及び低速シャッタの室内撮影モードとなるとともに、日中撮影モードと同様に、レンズバリア５は開位置となる。
【００１４】
ユニット本体２の構成を示す図２において、ユニット本体２は、１３５タイプのフイルムパトローネ２２が装填される本体基部２３と、撮影モードの切り替えを行うモード切替え機構２５と、本体基部２３の前面側及び背面側に取り付けられる前カバー２６及び後カバー２７とからなる。フイルムパトローネ２２は、パトローネ２２ａと、フイルム感度がＩＳＯ３２００の写真フイルム２２ｂとからなり、前述のように製造時に装填される。
【００１５】
本体基部２３の前面中央には、遮光筒３０が設けられている。この遮光筒３０の周囲には、シャッタチャージ機構，シャッタ機構，フイルム巻上げ機構，フイルム巻止機構，フイルムカウント機構，絞り切替え機構，シャッタ速度切替え機構，撮影光学系，ファインダ光学系等が組み込まれ、この前方部には、前記モード切替え機構２５が設けられている。
【００１６】
前記シャッタレリーズ機構，絞り切替え機構，シャッタ速度切替え機構，撮影光学系，モード切替え機構２５の構成を示す図３において、遮光筒３０の前面には、矩形状の露光開口３２が形成されている。遮光筒３０の側方には、シャッタ羽根３４を揺動自在に支持するピン３６と、バネ３８の一端が掛けられるピン４０とが設けられている。
【００１７】
シャッタ機構を構成するシャッタ羽根３４は、ピン３６に挿通される穴４２ａが形成されたベース部４２と、露光開口３２の前方に配置されて該露光開口３２の開閉を行う羽根部４４と、ベース部４２と羽根部４４とを接続する連結部４６とからなる。ベース部４２には、バネ３８の他端が掛けられるピン４２ｂと、シャッタ駆動レバー４８によって蹴飛ばされる突出部４２ｃと、速度調節突起４２ｄとが設けられている。シャッタ羽根３４は、バネ３８に付勢されて露光開口３２を塞ぐ閉じ位置に保持されている。
【００１８】
シャッタ駆動レバー４８は、シャッタ機構を構成する部品の一つであり、シャッタチャージ機構によって図中矢線Ａと逆方向に回動し、チャージ位置にセットされる。そして、レリーズボタン９の押圧操作に応答して、チャージ解除位置に向けて矢線Ａ方向に回動し、その際にシャッタ羽根３４の突出部４２ｃを蹴飛ばす。
【００１９】
シャッタ駆動レバー４８に蹴飛ばされたシャッタ羽根３４は、バネ３８の付勢に抗して図中矢線Ｂ方向に回動し、露光開口３２を全開した後に、バネ３８の付勢によって閉じ位置に復帰する。シャッタ羽根３４は、露光開口３２を全開させる全開位置を経て、レンズホルダ５６の内面に設けられたストッパーピン５６ｂ（図４，図５参照）に当接する移動端位置に達するまで回動可能にされている。
【００２０】
レンズホルダ５６の上部には、ストップレバー４９を回動自在に支持するピン５０が形成されている。ストップレバー４９は、ピン５０に支持されるボス５１と、このボス５１の側面から突出された２本のアーム５２，５３とからなり、一方のアーム５２の先端にパッド５２ａが形成されている。
【００２１】
このストップレバー４９は、パッド５２ａがシャッタ羽根３４の速度調節突起４２ｄの移動軌跡内に入り込んだ高速シャッタ位置と、パッド５２ａがその移動軌跡から退避した低速シャッタ位置との間で回動される。
【００２２】
図４に示すように、ストップレバー４９が高速シャッタ位置にあるときにシャッタレリーズが行われると、シャッタ羽根３４の速度調節突起４２ｄがパッド５２ａに当接するので、シャッタ羽根３４は全開位置から移動端位置への途中で回動が阻止される。これにより、短時間でシャッタ羽根３４が閉じ位置に復帰する。このときのシャッタ速度は１／１００秒としており、これが日中撮影モードの高速シャッタのシャッタ速度となる。
【００２３】
上記とは逆に、図５に示すように、ストップレバー４９が低速シャッタ位置にあるときには、速度調節突起４２ｄがパッド５２ａに当接しないで回動する。このため、シャッタ羽根３４は、移動端位置まで回動する。その結果、シャッタ羽根３４が閉じ位置に復帰するまでの時間が長くなって、シャッタ速度が遅くなる。このときのシャッタ速度は１／４５秒としており、これが室内撮影モードの低速シャッタのシャッタ速度となる。
【００２４】
図３に示されるように、遮光筒３０の前方には、レンズホルダ５６が取り付けられる。レンズホルダ５６の前面中央には、筒形状の鏡筒５７が形成されている。鏡筒５７内には、開口５８が形成されており、鏡筒５７の側面には切欠５９が形成されている。鏡筒５７内には、撮影レンズ４を構成する第１レンズ６０と第２レンズ６１とが収納される。これら第１レンズ６０と第２レンズ６１との間には、大絞り板６２，絞り切替え板６３の挿入スペースを確保するスペーサー６４が収められる。
【００２５】
前記レンズホルダ５６の前面には、鏡筒５７に収められた撮影レンズ４等の部品と、鏡筒５７の外周に取り付けられた切替えリング６８とが外れないように押さえるレンズ押さえ板６５が取り付けられる。このレンズ押さえ板６５の前面には、第１レンズ６０を露呈する開口６６ａを有する筒状部６６が一体に形成されている。
【００２６】
筒状部６６の前方には、前記レンズバリア５が設けられている。このレンズバリア５は、一対のバリア羽根７０，７１からなり、これらはレンズ押さえ板６５の前面に立設された一対のピン６５ａにそれぞれ回動自在に取り付けられている。
【００２７】
前記レンズバリア５の前方には、前記モード切替えノブ８と一体に形成されたモード操作リング６９が前カバー２６の内壁に回動自在に取り付けられている。このモード操作リング６９の中央部には、撮影レンズ４が露呈される円形開口６９ａが形成されている。また、モード操作リング６９は、切替えリング６８に形成されたピン６８ａと、これが遊挿される孔６９ｂとを介して切替えリング６８と一体的に連結されている。したがって、前記モード切替えノブ８を操作することによりモード操作リング６９が回動され、これに伴って切替えリング６８が回動される。
【００２８】
前記モード操作リング６９のレンズバリア５側の面には、円形開口６９ａを挟んで一対のピン６９ｃ，６９ｄ，６９ｅが立設されている。このピン６９ｃ，６９ｄは、本体基部２３に前カバー２６を取り付ける際に、バリア羽根７０，７１に形成されたカム孔７０ａ，７１ａに遊挿され、モード操作リング６９が回動されると、バリア羽根７０，７１が撮影レンズ４を遮蔽する閉位置と撮影レンズ４を開放する開位置との間で回動される。
【００２９】
また、モード操作リング６９の外周縁の一部には、モード操作リング６９をニュートラル位置，第１，２操作位置にクリックストップするための突起６９ｆが形成されている。なお、この突起６９ｆとの間にクリックストップ機構を構成する凹部は前カバー２６の内壁に設けられているが、図示を省略する。
【００３０】
前記ピン６９ｅは、本体基部２３に前カバー２６を取り付ける際に、レリーズ操作阻止レバー７４の長孔７４ａに遊挿される。このレリーズ操作阻止レバー７４は、レンズ押さえ板６５の前面に形成された台座６５ｂの上に立設されたピン６５ｃ，６５ｄが長孔７４ｂに遊挿されて上下動自在に設けられている。前記台座６５ｂは、レンズ押さえ板６５前面からの筒状部６６の突出量に合わせて、レリーズ操作阻止レバー７４の光軸方向の位置を調節している。なお、図示していないが、ピン６５ｃ，６５ｄの頂部には、レリーズ操作阻止レバー７４が落下しないように抜け止め用の部材が取り付けられている。
【００３１】
レリーズ操作阻止レバー７４の端部７４ｃは、レリーズボタン９の下方に位置しており、レリーズ操作阻止レバー７４が上昇位置にあるときには、レリーズボタン９の下面に当接して押下操作を阻止し、また下降位置にあるときには、レリーズボタン９の下面から離間して押下操作を許容する。
【００３２】
前記モード切替え機構２５は、絞り切替え機構，シャッタ速度切替え機構，モード操作リング６９，係止部材７２，リセットレバー７６，レリーズ操作阻止レバー７４等から構成される。絞り切替え機構は、大絞り板６２，絞り切替え板６３，スペーサー６４，切替えリング６８等により構成される。大絞り板６２は、円形の薄板からなり、中央に大径の絞り開口６２ａが形成されている。絞り開口６２ａは、室内撮影モードの大絞りとなるもので、絞り値がＦ４．０となるようにその径が決められている。
【００３３】
絞り切替え板６３は、く字形状の薄板からなり、一端に大絞り開口６２ａを塞ぐ大きさの小絞り部６３ａが設けられ、この小絞り部６３ａに小径の絞り開口６３ｂが形成されている。絞り開口６３ａは、日中撮影モードの小絞りとなるものであって、絞り値がＦ１８となるようにその径が決められている。絞り切替え板６３の他端には、穴６３ｃと屈曲された長穴６３ｄとが形成されている。穴６３ｃは、レンズホルダ５６の鏡筒５７の近傍に形成されたピン５６ａに挿通され、絞り切替え板６３を揺動自在とする。
【００３４】
上記の絞り切替え板６３は、小絞り部６３ａを撮影光軸上に配置する小絞り位置と、小絞り部６３ａを切欠５９から鏡筒５７の外に退避させ、大絞り開口６２ａを露呈させる大絞り位置との間で回動される。小絞り位置となると、撮影光は、大径の絞り開口６２ａと、小径の絞り開口６３ｂとを通過するようになり、結果的には径の小さい小絞り開口６３ｂによって光量が制限される。
【００３５】
切替えリング６８には、絞り切替え板６３の長穴６３ｄに挿入されるリンクピン６８ｂと、ストップレバー４９のアーム５３を間に挟み込む一対の挟持ピン６８ｃとが設けられている。ＯＦＦモード時の切替えリング６８の状態を示す図６において、モード切替えノブ８がニュートラル位置にセットされたときには、リンクピン６８ｂによって絞り切替え板６３の小絞り部６３ａが鏡筒５７内に挿入される。これにより、小絞り部６３ａが大絞り開口６２ａを塞いで絞り値Ｆ１８の小絞り状態となる。また、一対の挟持ピン６８ｃは、ストップレバー４９を高速シャッタ位置に保持している。
【００３６】
日中撮影モード時の切替えリング６８の状態を示す図７において、モード切替えノブ８が第１操作位置にセットされたときには、リンクピン６８ｂが長孔６３ｂの中間位置になるが、絞り切替え板６３はＯＦＦモード時から回動されず、小絞り部６３ａが鏡筒５７内に挿入される。また、ストップレバー４９は、一対の挟持ピン６８ｃによってやや回動されるが、パッド５２ａを回動方向に大きいサイズにしているため、やはりＯＦＦモード時と同様に高速シャッタ位置に保持されている。
【００３７】
室内撮影モード時の切替えリング６８の状態を示す図８において、モード切替えノブ８が第１操作位置から第２操作位置へと回動されると、長孔６９ｂの縁でピン６８ａが押され、切替えリング６８が図中反時計方向に回動される。リンクピン６８ｂに押圧された絞り切替え板６３が図中時計方向に回動し、小絞り部６３ａが光軸上から退避して絞り値Ｆ４．０の大絞り状態となる。また、一対の挟持ピン６８ｃはストップレバー４９を低速シャッタ位置にセットする。
【００３８】
日中撮影モードでは、ＩＳＯ１００を基準としたＥＶ値で、適正ＥＶ値がＥＶ１０となっており、カラーネガタイプの写真フイルム２２ｂのラチチュードを考慮して＋５．５ＥＶ（露光オーバー）、−１．５ＥＶ（露光アンダー）の露光量の過不足を許容すると、ＥＶ８．５〜ＥＶ１５．５の範囲で撮影が行うことができる。室内撮影モードでは、ＩＳＯ１００を基準としたＥＶ値で、適正ＥＶ値がＥＶ４．５となっており、ラチチュードを考慮すると、ＥＶ３．０〜ＥＶ１０．０の範囲で撮影が行うことができ、ストロボ発光を用いずに暗い室内や夜間屋外での撮影ができる。
【００３９】
撮影レンズ５の焦点距離は、ピントの実質的な合致範囲を考慮して、撮影レンズ５を広角化して、大絞りの下でも適当な被写界深度を確保するのが好ましく、大絞りの絞り値をＦ２．８以上Ｆ８以下としたときに、焦点距離は２８ｍｍ以下、好ましくは１７ｍｍ以上２８ｍｍ以下とするのがよい。
【００４０】
本実施形態では、撮影レンズ５の焦点距離は、２６ｍｍとしており、室内撮影モードでの絞り値は前述のようにＦ４．０としている。撮影レンズ５は、被写体距離が２ｍの被写体にピントが合致するようにされており、実質的に日中撮影モードでは１ｍ〜無限遠の被写体に、室内撮影モードで１ｍ〜３ｍの被写体にピントが合うようになっている。
【００４１】
次に、上記実施形態の作用について説明する。図１に示すように、モード切替えノブ８がニュートラル位置にあり、モード操作リング６９がニュートラル位置にクリックストップされているときには、レンズバリア５が閉じている。また、図９に示すように、レリーズ操作阻止レバー７４が上昇位置にあって端部７４ｃがレリーズボタン９の下面に接し、レリーズボタン９の押下操作が禁止されている。また、図６に示すように、絞り切替え板６３が小絞り位置にセットされるとともに、ストップレバー４９が高速シャッタ位置にセットされている。
【００４２】
日中屋外等の明るい場所で撮影を行う場合には、図１に示されるニュートラル位置から、モード切替えノブ８を右方へ操作して晴天マーク１５で示される第１操作位置に合わせ、日中撮影モードを選択する。これにより、図１０に示すように、モード操作リング６９がニュートラル位置から反時計方向に回動してピン６９ｃ，６９ｄがカム孔７０ａ，７１ａの縁を押し、バリア羽根７０，７１を外方へ回動してレンズバリア５を閉位置から開位置し、モード操作リング６９が第１操作位置に達してクリックストップされる。
【００４３】
また、ピン６９ｅがレリーズ操作阻止レバー７４を下降させ、端部７４ｃがレリーズボタン９の下面から離間するから、レリーズボタン９の押下操作が許容される。また、モード操作リング６９がニュートラル位置から時計方向に回動されると、ピン６８ａを介して切替えリング６８も時計方向に回動され、図７に示すように、ＯＦＦモード時と同様に、絞り切替え板６３が小絞り位置にセットされるとともに、ストップレバー４９が高速シャッタ位置にセットされる。
【００４４】
レリーズボタン９を押し下げると、シャッタ羽根３４が露光開口３２を開閉する。このときに、図４に示すように、シャッタ羽根３４は、その速度調節突起４２ｄがパッド５２ａに当接し、移動端位置に達する前に閉じ位置に復帰するから１／１００秒のシャッタ速度で露光が行われる。また、この露光は、絞り値Ｆ１８の小絞り開口６３ｂを通して行われるから、シャッタ速度１／１００秒，絞り値Ｆ１８で露光が行われる。したがって、適正ＥＶ値はフイルム感度ＩＳＯ３２００の写真フイルム２２ｂに対してＥＶ１０となり、ＥＶ８．５〜ＥＶ１５．５の範囲で良好な撮影が行える。
【００４５】
次に、夜景や室内で人物等を撮影する場合には、図１に示されるニュートラル位置又は第１操作位置から、モード切替えノブ８を第２操作位置に回動し、室内撮影モードを選択する。これにより、図１１に示すように、モード操作リング６９がニュートラル位置又は第１操作位置から反時計方向に回動して第２操作位置にクリックストップされる。この間に、ピン６９ｅがレリーズ操作阻止レバー７４を第１操作位置よりも更に下降させ、レリーズボタン９の押下操作を許容する。また、カム孔７０ａ，７１ａの形状によりバリア羽根７０，７１は第１操作位置と同じ開位置となる。
【００４６】
また、図５に示すように、絞り切替え板６３が大絞り位置にセットされるとともに、ストップレバー４９が低速シャッタ位置にセットされる。また、図８に示されるように、切替えリング６８の回動に連動して絞り切替え板６３が大絞り位置に回動し、小絞り部６３ａが撮影レンズ４の光路上から退避し、大絞り開口６２ａによって光量の規制が行われるようになる。また、ストップレバー４９は、低速シャッタ位置にセットされる。
【００４７】
レリーズボタン９を押し下げると、シャッタ羽根３４が露光開口３２を開閉する。このとき、ストップレバー４９が低速シャッタ位置にあるため、シャッタ羽根３４は、パッド５２ａに当接することなく回動し、移動端位置に達した後に閉じ位置に復帰する。また、撮影レンズ４に入射した被写体からの光は、大絞り開口６２ａを通って写真フイルムに露光を与えるから、１／４５秒のシャッタ速度と絞り値Ｆ４．０とで露光が行われる。この露光は、フイルム感度ＩＳＯ３２００の写真フイルム２２ｂに対して適正ＥＶ値がＥＶ４．５となり、ＥＶ３．０〜ＥＶ１０．０の範囲で良好な撮影が行える。
【００４８】
同じシーンでの撮影が終了して次の撮影まで間がある場合には、ユーザはモード切替えノブ８をニュートラル位置に戻してレンズバリア５を閉じる。これにより、レリーズ操作阻止レバー７４が上昇位置に戻り、レリーズボタン９の押下操作が禁止される。ユーザは、次に撮影を行いたいと思ったときに、そのままでは、レンズバリア５は閉じられ、レリーズボタン９も押し下げることができないから、自然とモード切替えノブ８を操作することになる。このモード切替えノブ８を操作する際には、これから撮影するシーンに合わせて撮影モードの設定を行うから、撮影モードを切り替えるのを忘れて、例えば日中撮影モードのままで室内を撮影して失敗するということを未然に防ぐことができる。
【００４９】
次に、本発明の第２実施形態を示す図１２において、レンズ付きフイルムユニット８０のユニット本体８１の前面には、長方形の板状をしたレンズバリア８２が、撮影レンズ８４及びファインダ８５を覆い隠す閉位置と、撮影レンズ８４及びファインダ８５を開放する開位置との間で左右方向にスライド自在に設けられている。このレンズバリア８２の前面には、レンズバリア８２をスライド移動させる際に右手の中指等で操作される突条をした把手８２ａが形成されている。
【００５０】
前記撮影レンズ８４の図面右方には、モード切替えノブ８６が上下動自在に設けられている。レンズ付きフイルムユニット８０は、レンズバリア８２を開位置にした状態で、モード切替えノブ８６を下方位置にしたときには、日中撮影モードになり、上方位置にしたときには、室内撮影モードになる。この日中撮影モード，室内撮影モードは、上記第１実施形態と同じであるから説明を省略する。
【００５１】
図１３に示すように、モード切替えノブ８６の板状をした基部８７は、側方へ突出形成された突起部８７ａを有する。この突起部８７ａの端面８７ｂはテーパー面をしており、レンズバリア８２の側方へ突出した突起部８２ｂのテーパー面をした端面８２ｃと対峙している。モード切替えノブ８６が上方位置にある場合に、レンズバリア８２を開位置から閉位置に移動させると、突起部８２ｂの端面８２ｃが突起部８７ａの端面８７ｂを押し、モード切替えノブ８６が下方位置に移動するから、室内撮影モードから日中撮影モードに移行する。
【００５２】
また、レリーズボタン８９の下方には、この操作を許容する許容位置と操作を阻止する阻止位置との間で回動されるレリーズ操作阻止レバー９０が設けられている。このレリーズ操作阻止レバー９０に形成された長孔９０ａには、レンズバリア８２の背面から突出形成された棒状突起９２が遊挿されている。これにより、レンズバリア８２が開位置にあるときには、レリーズ操作阻止レバー９０が反時計方向に回動してレリーズボタン８９の押下操作を許容するが、レンズバリア８２が閉位置にあるときには、レリーズ操作阻止レバー９０が時計方向に回動してレリーズボタン８９の押下操作を阻止し、レンズ付きフイルムユニットはＯＦＦモードになる。すなわち、レンズバリア８２が閉位置にあるときには、絞りやシャッタ速度は日中撮影モードと同じになるが、レリーズ操作が阻止されるＯＦＦモードになる。
【００５３】
図１４（Ａ）に示すように、レンズバリア８２が開位置にあるときには、突起部８２ｂは突起部８７ａに係合しないから、自由にモード切替えノブ８６を操作することができるとともに、レリーズ操作阻止レバー９０はレリーズボタン８９の押下操作を許容する。これにより、ユーザは、日中撮影モード，室内撮影モードのいずれかを選択して撮影を行う。
【００５４】
（Ｂ）に示すように、撮影を止め、レンズバリア８２を閉位置に移動すると、モード切替えノブ８６を日中撮影モードにセットしていた場合には、モード切替えノブ８６はそのままであるが、モード切替えノブ８６を室内撮影モードにセットしていた場合には、突起部８２ｂの端面８２ｃが突起部８７ａの端面８７ｂを押し、モード切替えノブ８６を押し下げるから、絞り及びシャッタ速度が室内撮影モードから日中撮影モードに移行するとともに、レリーズ操作阻止レバー９０によってレリーズボタン８９の押下操作が阻止され、ＯＦＦモードになる。
【００５５】
次に、本発明の第３実施形態を示す図１５において、レンズ付きフイルムユニット１００は、レンズバリア１０１を閉じた際に、撮影レンズ１０２及びファインダ１０３を同時に覆い隠す点では、上記第２実施形態と同じであるが、レンズバリア１０１を手前下方へ開く開き扉式とした点が異なる。
【００５６】
図１６に示すように、モード切替えノブ１０５の側方に突出形成した突起部１０５ａが、レンズバリア１０１に一体的に形成された爪部材１０６の前方に配置されている。モード切替えノブ１０５が上方の室内撮影モードにセットされた状態で、レンズバリア１０１を閉じると、爪部材１０６が突起部１０５ａを上から下へ押し下げるから、モード切替えノブ１０５が下方へ押し下げられ、絞り及びシャッタ速度は室内撮影モードから日中撮影モードに移行する。また、このレンズバリア１０５の閉位置では、レリーズ操作が阻止されるＯＦＦモードになる。
【図面の簡単な説明】
【００５７】
【図１】第１実施形態のレンズ付きフイルムユニットの外観を示す斜視図である。
【図２】レンズ付きフイルムユニットの構成を示す分解斜視図である。
【図３】モード切替え機構の構成を示す分解斜視図である。
【図４】ストッパーレバーの高速シャッタ位置でのシャッタレリーズを示す説明図である。
【図５】ストッパーレバーの低速シャッタ位置でのシャッタレリーズを示す説明図である。
【図６】絞り及びシャッタ速度切替え機構のＯＦＦモードでの状態を示す説明図である。
【図７】絞り及びシャッタ速度切替え機構の日中撮影モードでの状態を示す説明図である。
【図８】絞り及びシャッタ速度切替え機構の室内撮影モードでの状態を示す説明図である。
【図９】ＯＦＦモードでのバリア羽根，モード操作リング及びレリーズ操作阻止レバーの関係を示す説明図である。
【図１０】日中撮影モードでのバリア羽根，モード操作リング及びレリーズ操作阻止レバーの関係を示す説明図である。
【図１１】室内撮影モードでのバリア羽根，モード操作リング及びレリーズ操作阻止レバーの関係を示す説明図である。
【図１２】第２実施形態のレンズ付きフイルムユニットの外観を示す斜視図である。
【図１３】レンズバリア，モード切替えノブ，レリレリーズ操作阻止レバー及びレリーズボタンの関係を示す説明図である。
【図１４】日中撮影モードからレンズバリアを閉じる様子を示す説明図である。
【図１５】第３実施形態のレンズ付きフイルムユニットの外観を示す斜視図である。
【図１６】レンズバリアとモード切替えノブとの関係を示す説明図である。
【符号の説明】
【００５８】
１，８０，１００  レンズ付きフイルムユニット
５  レンズバリア
８，８６，１０５  モード切替えノブ
９，８９  レリーズボタン
２２ｂ  写真フイルム
２５  モード切替え機構
３４  シャッタ羽根
４９  ストップレバー
６２  大絞り板
６３  絞り切替え板
６５  レンズ押さえ板
６８  切替えリング
６９  モード操作リング
７０，７１  バリア羽根
７４，９０  レリーズ操作阻止レバー
１０６  爪部材
【図１】
2006098768.tif 000003
【図２】
2006098768.tif 000004
【図３】
2006098768.tif 000005
【図４】
2006098768.tif 000006
【図５】
2006098768.tif 000007
【図６】
2006098768.tif 000008
【図７】
2006098768.tif 000009
【図８】
2006098768.tif 000010
【図９】
2006098768.tif 000011
【図１０】
2006098768.tif 000012
【図１１】
2006098768.tif 000013
【図１２】
2006098768.tif 000014
【図１３】
2006098768.tif 000015
【図１４】
2006098768.tif 000016
【図１５】
2006098768.tif 000017
【図１６】
2006098768.tif 000018